(57)【要約】【課題】通話を中断せずに、必要な操作が可能な携帯通信装置および携帯通信装置の動作制御方法を提供する。【解決手段】携帯通信装置Ｐの装置本体１の背面部１ｂに背面部１ｂでの発生音を検出して音検出信号を出力する音検出手段５，６を設け、背面部１ｂを叩くことで音検出手段５，６が音検出信号を出力し、制御手段１０が音検出信号を受信することにより、携帯通信装置Ｐに音検出信号に応じた動作を実行させる。使用者は、顔に装置本体１の正面部１ａを接触または接近させた状態で通話している最中に、顔から装置本体１の正面部１ａを離すことなく、装置本体１の背面部１ｂを叩打するだけで、携帯通信装置Ｐに対応する動作を実行させることができる。【選択図】  図１Ｂ
2014003456.tif 000002
【特許請求の範囲】
【請求項１】
装置本体と、
前記装置本体の正面部に設けられる通話用の音声出力手段と、
前記装置本体の正面部に設けられる通話用の音声入力手段と、
前記装置本体の背面部に設けられ、該背面部での発生音を検出して音検出信号を出力する音検出手段と、
前記音検出信号を受信して、該音検出信号に応じた動作命令信号を出力する制御手段とを備えることを特徴とする携帯通信装置。
【請求項２】
複数の前記音検出手段が、前記背面部に、互いに離隔して設けられていることを特徴とする請求項１に記載の携帯通信装置。
【請求項３】
前記音声入力手段が、前記発生音を検出して音検出信号を出力する機能をさらに有し、
前記発生音が発生したときに、前記音声入力手段から出力される音検出信号と、前記音検出手段から出力される音検出信号とに基づき、前記制御手段が動作命令信号を出力することを特徴とする請求項１または２に記載の携帯通信装置。
【請求項４】
前記音検出手段が検出する発生音は、使用者が前記背面部を叩くことにより発生させる叩打音であることを特徴とする請求項１〜３のいずれか１つに記載の携帯通信装置。
【請求項５】
前記装置本体に加速度センサがさらに備えられ、前記装置本体を使用者が叩打したことを前記加速度センサで検出したときに、前記音検出手段の音検出信号の出力が可能になることを特徴とする請求項４に記載の携帯通信装置。
【請求項６】
前記装置本体の正面部に、該正面部に対する人体の接近状態または接触状態を検出する人体検出手段がさらに設けられ、該人体検出手段が人体の接近状態または接触状態を検出しているときに、前記音検出手段の音検出信号の出力が可能になることを特徴とする請求項１〜５のいずれか１つに記載の携帯通信装置。
【請求項７】
携帯通信装置の装置本体の背面部で発生音を人為的に発生させ、
該背面部に設けられる音検出手段で前記発生音を検出することにより、該音検出手段から音検出信号を出力させ、
前記装置本体の内部に設けられる制御手段が前記音検出信号を受信することにより、該制御手段によって、前記携帯通信装置に前記音検出信号に応じた動作を実行させることを特徴とする携帯通信装置の動作制御方法。
【請求項８】
前記背面部に複数の前記音検出手段が所要の距離だけ離して設けられ、
前記背面部に複数の検出領域が設けられ、
前記発生音を発生させたときに前記複数の音検出手段それぞれから出力される音検出信号に基づいて、前記発生音の発生位置が、前記複数の検出領域のうちのいずれに属するかを前記制御手段で判定し、
前記制御手段により、判定された検出領域に対応させた動作を、前記携帯通信装置に実行させることを特徴とする請求項７に記載の携帯通信装置の動作制御方法。
【請求項９】
前記発生音を発生させたときに前記複数の音検出手段それぞれから出力される音検出信号の強弱を前記制御手段で比較することにより、前記発生音の発生位置が前記複数の検出領域のうちのいずれに属するかを判定することを特徴とする請求項８に記載の携帯通信装置の動作制御方法。
【請求項１０】
前記発生音は、使用者が前記背面部を叩くことにより人為的に発生させる叩打音であることを特徴とする請求項７〜９のいずれか１つに記載の携帯通信装置の動作制御方法。
【請求項１１】
前記叩打音の発生パターンの違いに応じて、前記制御手段が前記携帯通信装置に異なる動作を実行させることを特徴とする請求項１０に記載の携帯通信装置の動作制御方法。
【請求項１２】
前記装置本体の正面部に設けられる通話用の音声入力手段が、前記発生音を検出して音検出信号を出力する機能をさらに有し、
前記発生音を発生させたときに、前記音声入力手段から出力される音検出信号と、前記音検出手段から出力される音検出信号とに基づいて、前記発生音の発生位置が、前記複数の検出領域のうちのいずれに属するかを前記制御手段で判定することを特徴とする請求項８〜１１のいずれか１つに記載の携帯通信装置の動作制御方法。
【請求項１３】
前記発生音を発生させたときに前記携帯通信装置に実行させる動作を、該携帯通信装置の動作状態に応じて異ならせることを特徴とする請求項７〜１２のいずれか１つに記載の携帯通信装置の動作制御方法。
【発明の詳細な説明】
【技術分野】
【０００１】
本発明は、たとえばスマートフォンなどの携帯通信装置および携帯通信装置の動作制御方法に関する。
【背景技術】
【０００２】
携帯通信装置の一例であるスマートフォンは、正面部に液晶ディスプレイなどの画面表示手段が設けられ、この画面表示手段の表面が、いわゆるタッチパネル式の入力手段とされているものが広く使用されている。
【０００３】
この種の携帯通信装置は、正面部の画面表示手段の周辺に、通話用の音声出力手段であるスピーカおよび通話用の音声入力手段であるマイクが設けられている。そのため、使用者が通話をするときには、装置本体を手で把持し、耳および耳の周辺に画面表示手段を接触させた状態で、通信相手の声を聴取し、あるいは通信相手に対して発話する。
【０００４】
ところで先に述べたように、画面表示手段の表面がタッチパネルなどの入力手段である場合、通話中は、該入力手段の機能を無効化することが必要である。そのような技術として、特許文献１に記載のカメラ内蔵携帯電話機能付き情報処理端末（以下、先願装置と言う）がある。
【０００５】
前記先願装置は、タッチパネルを使用した入力手段と、カメラと、カメラの出力に基づきカメラに対する被写体の接近の有無を判別する被写体接近判別手段とを備え、携帯電話機能による通話中に被写体接近判別手段が被写体のカメラへの接近を認識した場合は、入力手段からの入力信号を無効とするものである。これにより、使用者が装置本体を耳に接触または接近させて通話している状態のときには、タッチパネルからの入力を自動的に無効にするので、通話中の誤動作を確実に防止でき、また、内蔵するカメラの信号を利用するから、専用のセンサを設ける必要がないという利点を有するとされている。
【先行技術文献】
【特許文献】
【０００６】
【特許文献１】特開２００４−１５９０２８号公報
【発明の概要】
【発明が解決しようとする課題】
【０００７】
特許文献１に記載の先願装置は、通話のために使用者が耳に装置本体を接近または接触させると、カメラからの情報により、タッチパネルの機能を無効化する技術である。したがって、通話中に、例えばスピーカなどの音声出力装置からの出力音量を変更したい場合は、使用者は、顔から装置本体を一旦引き離したのち、音量調整などの操作を行う必要があった。つまり、通話中に、先願装置を操作しようとすると、通話を中断しなくてはならないという問題がある。
【０００８】
本発明は、前記従来の問題点に鑑み、通話を中断せずに、必要な操作が可能な携帯通信装置および携帯通信装置の動作制御方法を提供することを目的とする。
【課題を解決するための手段】
【０００９】
本発明は、装置本体と、前記装置本体の正面部に設けられる通話用の音声出力手段と、前記装置本体の正面部に設けられる通話用の音声入力手段と、前記装置本体の背面部に設けられ、該背面部での発生音を検出して音検出信号を出力する音検出手段と、前記音検出信号を受信して、該音検出信号に応じた動作命令信号を出力する制御手段とを備えることを特徴とする携帯通信装置である。
【００１０】
また本発明は、複数の前記音検出手段が、前記背面部に、互いに離隔して設けられていることを特徴とする携帯通信装置である。
【００１１】
また本発明は、前記音声入力手段が、前記発生音を検出して音検出信号を出力する機能をさらに有し、前記発生音が発生したときに、前記音声入力手段から出力される音検出信号と、前記音検出手段から出力される音検出信号とに基づき、前記制御手段が動作命令信号を出力することを特徴とする携帯通信装置である。
【００１２】
また本発明は、前記音検出手段が検出する発生音が、使用者が前記背面部を叩くことにより発生させる叩打音であることを特徴とする携帯通信装置である。
【００１３】
また本発明は、前記装置本体に加速度センサがさらに備えられ、前記装置本体を使用者が叩打したことを前記加速度センサで検出したときに、前記音検出手段の音検出信号の出力が可能になることを特徴とする携帯通信装置である。
【００１４】
また本発明は、前記装置本体の正面部に、該正面部に対する人体の接近状態または接触状態を検出する人体検出手段がさらに設けられ、該人体検出手段が人体の接近状態または接触状態を検出しているときに、前記音検出手段の音検出信号の出力が可能になることを特徴とする携帯通信装置である。
【００１５】
また本発明は、携帯通信装置の装置本体の背面部で発生音を人為的に発生させ、該背面部に設けられる音検出手段で前記発生音を検出することにより、該音検出手段から音検出信号を出力させ、前記装置本体の内部に設けられる制御手段が前記音検出信号を受信することにより、該制御手段によって前記携帯通信装置に前記音検出信号に応じた動作を実行させることを特徴とする携帯通信装置の動作制御方法である。
【００１６】
また本発明は、前記背面部に複数の前記音検出手段が所要の距離だけ離して設けられ、前記背面部に複数の検出領域が設けられ、前記発生音を発生させたときに前記複数の音検出手段それぞれから出力される音検出信号に基づいて、前記発生音の発生位置が、前記複数の検出領域のうちのいずれに属するかを前記制御手段で判定し、前記制御手段により、判定された検出領域に対応させた動作を、前記携帯通信装置に実行させることを特徴とする携帯通信装置の動作制御方法である。
【００１７】
また本発明は、前記発生音を発生させたときに前記複数の音検出手段それぞれから出力される音検出信号の強弱を前記制御手段で比較することにより、前記発生音の発生位置が前記複数の検出領域のうちのいずれに属するかを判定することを特徴とする携帯通信装置の動作制御方法である。
【００１８】
また本発明は、前記発生音が、使用者が前記背面部を叩くことにより人為的に発生させる叩打音であることを特徴とする携帯通信装置の動作制御方法である。
【００１９】
また本発明は、前記叩打音の発生パターンの違いに応じて、前記制御手段が前記携帯通信装置に異なる動作を実行させることを特徴とする携帯通信装置の動作制御方法である。
【００２０】
また本発明は、前記装置本体の正面部に設けられる通話用の音声入力手段が、前記発生音を検出して音検出信号を出力する機能をさらに有し、前記発生音を発生させたときに、前記音声入力手段から出力される音検出信号と、前記音検出手段から出力される音検出信号とに基づいて、前記発生音の発生位置が、前記複数の検出領域のうちのいずれに属するかを前記制御手段で判定することを特徴とする携帯通信装置の動作制御方法である。
【００２１】
また本発明は、前記発生音を発生させたときに前記携帯通信装置に実行させる動作を、該携帯通信装置の動作状態に応じて異ならせることを特徴とする携帯通信装置の動作制御方法である。
【発明の効果】
【００２２】
本発明によれば、携帯通信装置の装置本体の背面部に該背面部での発生音を検出して音検出信号を出力する音検出手段と、この音検出信号を受信すると該音検出信号に応じた動作命令信号を出力する制御手段とを備えるので、前記装置本体の背面部で発生音を人為的に発生させると、該背面部に設けられる音検出手段が前記発生音を検出して音検出信号を出力し、前記制御手段が該音検出信号を受信することにより、携帯通信装置に音検出信号に応じた動作を実行させる。したがって、使用者は、顔に装置本体の正面部を接触または接近させた状態で通話している最中に、顔から装置本体の正面部を離すことなく、装置本体の背面部を叩打するなどして発生音を発生させるだけで、携帯通信装置に対応する動作を実行させることができる。つまり、通話を中断せずに、携帯通信装置を操作することが可能になる。
【図面の簡単な説明】
【００２３】
【図１Ａ】本発明の一実施形態に係る携帯通信装置Ｐの正面図である。
【図１Ｂ】本発明の一実施形態に係る携帯通信装置Ｐの背面図である。
【図２】携帯通信装置Ｐの制御手段１０の構成を、本発明に関係する機能について示すブロック図である。
【図３Ａ】本発明の一実施例に係る携帯通信装置Ｐの動作フローチャートの前半部分を示す図面である。
【図３Ｂ】本発明の一実施例に係る携帯通信装置Ｐの動作フローチャートの後半部分を示す図面である。
【図４】本発明の実施例２に係る携帯通信装置Ｐの制御手段２０の概略構成を示すブロック図である。
【図５】本発明の実施例３に係る携帯通信装置Ｐの背面図である。
【図６】本発明の実施例４に係る携帯通信装置Ｐの背面図である。
【図７】本発明の実施例５に係る携帯通信装置Ｐの背面図である。
【発明を実施するための形態】
【００２４】
図１Ａは、本発明の一実施形態に係る携帯通信装置Ｐの正面図、図１Ｂは、同携帯通信装置Ｐの背面図である。
【００２５】
本発明は、たとえば、携帯通信装置Ｐの一例であるスマートフォンに適用される。ただし、本発明の適用対象は、スマートフォンに限定されるものではなく、使用者が携帯可能で通話機能を有する装置であれば、適用可能である。
【００２６】
携帯通信装置Ｐは、装置本体１の正面部１ａに、液晶ディスプレイなどの画面表示手段２を備える。画面表示手段２の表面は、携帯通信装置Ｐの動作を操作するためのタッチパネルなどの入力手段７とされている。画面表示手段２の周囲であって装置本体１の対向する端縁付近に、通話用の音声出力手段３および通話用の音声入力手段４が設けられる。
【００２７】
装置本体１の背面部１ｂには、該背面部１ｂでの発生音を検出して音検出信号を出力する音検出手段５，６が設けられる。音検出手段５，６は、たとえばマイクが使用される。音検出手段５，６の設置個数は、携帯通信装置Ｐに動作させたい機能に基づいて決められる。本実施形態では、第１の音検出手段５および第２の音検出手段６の２つが設けられる。第１の音検出手段５と第２の音検出手段６とは、互いに離隔して配設され、両者の離間距離Ｌは、装置本体１の寸法や、音検出感度などに基づいて適宜決定される。
【００２８】
さらに、図示は省略するが、装置本体１の内部に、携帯通信装置Ｐが指示された動作を実行したことを確認するための確認手段８を設けてもよい。確認手段８の例としては、装置本体１を振動させるバイブレータや、トーン音を鳴動させる発音器などが考えられる。
【００２９】
装置本体１の内部には、携帯通信装置Ｐの各種動作を制御する制御手段１０が備えられる。図２は、携帯通信装置Ｐの制御手段１０の構成を、本発明に関係する機能について示すブロック図である。図２に示すように、制御手段１０は、前述した画面表示手段２、通話用の音声出力手段３及び音声入力手段４、第１の音検出手段５および第２の音検出手段６、入力手段７、および確認手段８と、互いに信号のやり取りが可能なように電気的に接続される。さらに制御手段１０には、携帯通信装置Ｐの動作制御に必要なプログラムやデータが格納される記憶手段１１、無線基地局と無線通信をするためのアンテナ１３を備える基地局通信手段１２が接続される。
【００３０】
制御手段１０は、前述した画面表示手段２、音声出力手段３、音声入力手段４、第１の音検出手段５、第２の音検出手段６、入力手段７、確認手段８、記憶手段１１、基地局通信手段１２の動作を制御する制御部を有する。さらに制御手段１０には、音声出力手段３からの出力音の音量を制御する受話音量制御部１０ａ、無線基地局との通信を制御する通信制御部１０ｂ、第１の音検出手段５及び第２の音検出手段６が出力する音検出信号に基づいて、発生音の位置を解析する音源位置解析部１０ｃが備えられる。
【００３１】
前記のごとく構成される携帯通信装置Ｐは、使用者が通話している状態、すなわち装置本体１を耳および耳の周辺に接触または接近させた状態で、装置本体１の背面部１ｂで発生音を発生させる。発生音は、たとえば、使用者が、背面部１ｂを指先や筆記用具、あるいは専用の操作具などで叩くことにより発生させる叩打音である。第１の音検出手段５および第２の音検出手段６は、発生音を検出すると、音検出信号を出力する。制御手段１０は、この音検出信号を受信し、受信した音検出信号に応じた動作命令信号を出力する。
【００３２】
制御手段１０は、第１の音検出手段５と第２の音検出手段６のどちらの入力音が大きかったかを判定し、判定結果に応じて異なる動作命令信号が出力されるように、あらかじめ設定される。これにより、装置本体１の背面部１ｂで発生音を発生させる位置を変えるだけで、第１の音検出手段５と第２の音検出手段６とが検出する発生音の音量が相違するから、携帯通信装置Ｐに異なる動作を実行させることが可能になる。たとえば、第１の音検出手段５が検出する発生音の音量が大きいときには、音声出力手段３から出力される受話音量を増大させ、反対に、第２の音検出手段６が検出する発生音の音量の方が大きいときには、音声出力手段３から出力される受話音量を減少させることが考えられる。
【００３３】
携帯通信装置Ｐが、音検出信号に基づいて制御手段１０により指示された動作の実行を開始したならば、または、動作の実行が完了したならば、確認手段８を動作させる。たとえば、確認手段８がバイブレータであるならば、動作の開始または完了に伴い、装置本体１を振動させ、使用者に動作の開始または完了を通知する。
【００３４】
本実施形態の携帯通信装置Ｐは、使用者が、背面部１ｂを叩くなどして発生音を発生させると、発生音の発生位置に応じた動作を実行する。したがって、装置本体１を顔から離して通話を中断することなく、携帯通信装置Ｐを操作することが可能である。
【実施例】
【００３５】
（実施例１）
図１に示すように、携帯通信装置Ｐの正面部１ａに画面表示手段２、通話用の音声出力手段３、通話用の音声入力手段４が設けられ、背面部１ｂには、第１の音検出手段５および第２の音検出手段６が、背面部１ｂの対向する端縁部近くに、互いに離隔して配設される。なお本実施例では、確認手段８を、装置本体１を振動させるバイブレータとする。
【００３６】
背面部１ｂには、第１の音検出手段５に近い検出領域Ｒ１と、第２の音検出手段６に近い検出領域Ｒ２とを設定する。検出領域Ｒ１および検出領域Ｒ２は、背面部１ｂを叩いて叩打音を発生させたときに、第１の音検出手段５に入力される音量Ｓ１と、第２の音検出手段６に入力される音量Ｓ２との差が明確になるように設定される。したがって、背面部１ｂの中央部は、叩打して叩打音を発生させたときに、第１の音検出手段５に入力される音量Ｓ１と、第２の音検出手段６に入力される音量Ｓ２とのあいだに、明確な差異が生じにくいので、いずれの検出領域Ｒ１，Ｒ２からも除外される。
【００３７】
制御手段１０は、背面部１ｂの検出領域Ｒ１で発生音を発生させたときには、音声出力手段３から出力される受話音量を増大させ、検出領域Ｒ２で発生音を発生させたときには、受話音量を減少させるように設定される。
【００３８】
図３Ａは、本発明の一実施例に係る携帯通信装置Ｐの動作フローチャートの前半部分を示す図面であり、図３Ｂはこのフローチャートの後半部分を示す図面である。このフローチャートを用いて、携帯通信装置Ｐの動作を説明する。
【００３９】
使用者が、携帯通信装置Ｐの無線通信機能を用いて、通話を行なう場合を想定する。最初に、電話アプリケーションの発呼動作または着呼動作が行われると、制御手段１０は、通信制御部１０ｂにより音声通話用の通信を確立し(S200)、音声出力手段３および音声入力手段４をＯＮにして、対向機と音声通話が可能な状態にする(S201)。
【００４０】
次に、電話アプリケーションの機能実行の契機となる音を録音するために、第１の音検出手段５および第２の音検出手段６をＯＮにする(S202)とともに、音源位置解析部１０ｃによる第１の音検出手段５に入力される音および第２の音検出手段６に入力される音の録音処理を開始する(S203)。
【００４１】
使用者が通話中に、装置本体１の背面部１ｂの検出領域Ｒ１または検出領域Ｒ２のいずれかを指などで叩いて叩打音を発生させると、第１の音検出手段５および第２の音検出手段６から音検出信号が出力され、音源位置解析部１０ｃは、この音検出信号から、発生音の発生位置を特定する解析処理を行う。
【００４２】
前記解析処理は、まず、入力された音が指などによる叩打音かどうかを、おおよそ判別する。これは、第１の音検出手段５に入力された音の音量Ｓ１、または第２の音検出手段６に入力された音の音量Ｓ２のいずれかが、あらかじめ定められた閾値Ａ以上かどうかを判定する(S204)ことによって行なわれる。第１の音検出手段５および第２の音検出手段６に入力されたそれぞれの音の音量Ｓ１，Ｓ２が、いずれも閾値Ａ未満であれば、制御手段１０は、後述する判定動作を起こさない。音量Ｓ１または音量Ｓ２のいずれかが閾値Ａ以上であれば、その発生音の発生位置が、検出領域Ｒ１または検出領域Ｒ２のいずれに属するかを判定する(S205, S208)。
【００４３】
音源位置の特定は、例えば、第１の音検出手段５に入力された音の音量Ｓ１と、第２の音検出手段６に入力された音の音量Ｓ２との差分を算出することにより行なう。音量Ｓ１と音量Ｓ２との差分が、あらかじめ定めた閾値Ｂ以上で、かつ音量Ｓ１が音量Ｓ２よりも大きければ、制御手段１０は、発生音が第１の音検出手段５に近い検出領域Ｒ１で発生したと判定し、受話音量制御部１０ａにより、音声出力手段３から出力される受話音量を増大させる(S206)。その際、受話音量変更が正常に行われたことを使用者に知らせるため、確認手段８であるバイブレータを駆動して、装置本体１を一定時間振動させる(S207)。
【００４４】
反対に、音量Ｓ１，Ｓ２の差分が閾値Ｂ以上で、かつ音量Ｓ２が音量Ｓ１よりも大きければ、制御手段１０は、発生音が第２の音検出手段６に近い検出領域Ｒ２で発生したと判定し、受話音量制御部１０ａにより、受話音量を減少させる (S209)。その際、受話音量変更が正常に行われたことを使用者に知らせるために、バイブレータを駆動して、装置本体１を一定時間振動させるのは、前記と同様である。
【００４５】
さらに、音量Ｓ１，Ｓ２の差分が閾値Ｂ未満のときには、発生音の発生位置を特定することができないため、制御手段１０は、受話音量を変更しない。
【００４６】
音源位置解析部１０ｃの処理プログラムは、携帯通信装置Ｐの使用者、または、対向機側の通話者が終話処理を行なうまで、継続して実行される(S210)。終話処理が行われた場合、音源位置解析部１０ｃは、発生音の発生位置を特定するための解析処理を終了し(S211)、第１の音検出手段５および第２の音検出手段６をＯＦＦにする(S212)。さらに、対向機との音声通話を終了するため、音声出力手段３および音声入力手段４をＯＦＦにし(S213)、通信制御部１０ｂにより音声通話用の通信が終了される(S214)。
【００４７】
このように、本実施例の携帯通信装置Ｐは、使用者が、装置本体１を把持し該装置本体１を耳および耳の周辺に接触または接近させた状態で通話している最中に、使用者が背面部１ｂを指などで叩いて叩打音を発生させる位置を変えるだけで、受話音量の調節が可能である。よって、顔から装置本体１を離して通話を中断しなくても、携帯通信装置Ｐの受話音量を調節することができる。
【００４８】
（実施例２）
図４は、本発明の実施例２に係る携帯通信装置Ｐの制御手段２０の概略構成を示すブロック図である。本実施例は、スマートフォンに適用することを想定したものであり、携帯通信装置Ｐの正面部１ａに設けられる画面表示手段２が液晶ディスプレイ２５であり、通話用の音声出力手段３が通話用スピーカ２１であり、通話用の音声入力手段４が通話用マイク２２である。入力手段７は、画面表示手段２である液晶ディスプレイ２５の表面に設けられるタッチパネル２７である。また、背面部１ｂの第１の音検出手段５は第１の音検出用マイク２３であり、第２の音検出手段６は第２の音検出用マイク２４である。確認手段８は、装置本体１を振動させるバイブレータ２６である。また、記憶手段２８、基地局通信部３１およびアンテナ３２を備える点は、前記実施例と共通である。
【００４９】
本実施例では、装置本体１の正面部１ａに、正面部１ａに対する人体の接近状態または接触状態を検出する人体検出手段としての近接センサ２９を設けるとともに、装置本体１内に加速度センサ３０を備えるところを特徴とする。
【００５０】
近接センサ２９は、人体が装置本体1の正面部１ａに接近または接触している状態を検出するものである。制御手段１０は、近接センサ２９が、人体検出信号を出力しているときに、第１の音検出用マイク２３および第２の音検出用マイク２４の音検出信号の出力を可能にし、近接センサ２９からの人体検出信号がないときは、第１の音検出用マイク２３および第２の音検出用マイク２４が動作しないように制御する。
【００５１】
かかる構成により、本実施例の携帯通信装置Ｐは、使用者が通話中の状態、すなわち、顔に装置本体１の正面部１ａを接触または接近させているときは、近接センサ２９が人体検出信号を出力しているので、背面部１ｂを叩くことにより、たとえば受話音量を増減させる操作が可能になる。
【００５２】
通話中でないとき、または、スピーカ付きヘッドフォン（ヘッドセット）などを用いたいわゆるハンズフリー状態で通話しているときは、装置本体１の正面部１ａに人体が接触も接近もしていない状態なので、近接センサ２９から人体検出信号が出力されない。そのため、背面部１ｂを叩打しても、たとえば受話音量を操作する機能は、無効にされる。したがって、非通話時または機能不要時に、誤って背面部１ｂで発生音を発生させても、携帯通信装置Ｐが誤動作を起こすのを防止できる。
【００５３】
なお、前記では、人体検出手段の例として、近接センサを用いる場合を掲げたが、タッチパネルの機能を利用することも可能である。
【００５４】
装置本体１に設けた加速度センサ３０は、装置本体１を使用者が叩打したときに発生する加速度を検出して、加速度検出信号を出力する。制御手段１０は、この加速度検出信号を受信したときに、第１の音検出用マイク２３および第２の音検出用マイク２４が、音検出信号を出力することを可能にする。
【００５５】
これにより、装置本体の背面部１ｂで発生した発生音が、使用者の叩打によるものか、それ以外の要因によるものかを判別することが可能になる。したがって、使用者の叩打によらない発生音により、携帯通信装置Ｐが誤動作するのを防止することができる。
【００５６】
（実施例３）
図５は、本発明の実施例３に係る携帯通信装置Ｐの背面図である。装置本体１の背面部１ｂに第１の音検出手段１５および第２の音検出手段１６を設ける場合、図示のごとく、対角線上に離隔して配置することも可能である。この場合、検出領域Ｒ３，Ｒ４はそれぞれ、第１の音検出手段１５または第２の音検出手段１６の位置する隅部を取り囲む領域に設定される。
【００５７】
（実施例４）
図６は、本発明の実施例４に係る携帯通信装置Ｐの背面図である。本実施例は、装置本体１の背面部１ｂに、対角線上に配置した第１の音検出手段１５、第２の音検出手段１６に加えて、もう１つの隅部に第３の音検出手段１７を設けたものである。３つの音検出手段１５，１６，１７を配置することにより、背面部１ｂに多くの検出領域Ｒ５〜Ｒ８を設定することが可能になる。
【００５８】
本実施例では、第１の音検出手段１５に入力される音の音量をＳ１、第２の音検出手段１６に入力される音の音量をＳ２、第３の音検出手段１７に入力される音の音量をＳ３とすると、これらＳ１，Ｓ２，Ｓ３の大小関係に基づき、背面部１ｂに４つの検出領域Ｒ５〜Ｒ８を設定することができる。Ｒ５は、Ｓ１とＳ３との差分が小さく、かつ、Ｓ１およびＳ３がＳ２より十分に大きい検出領域、Ｒ６は、Ｓ１とＳ３との差分が小さく、かつ、Ｓ２がＳ１およびＳ３より十分に大きい検出領域、Ｒ７は、Ｓ１，Ｓ２，Ｓ３の間のどの差分も小さい検出領域、Ｒ８は、Ｓ２とＳ３との差分が小さく、かつ、Ｓ２およびＳ３がＳ１に比べて十分大きい検出領域である。
【００５９】
携帯通信装置Ｐに実行させる動作を、背面部１ｂに設定した４つの検出領域Ｒ５〜Ｒ８に対応させることにより、使用者が背面部１ｂを叩く位置により、携帯通信装置Ｐに、４つの異なる動作を行なわせることが可能である。たとえば、検出領域Ｒ５には受話音量の増大機能、検出領域Ｒ６には受話音量の減少機能、検出領域Ｒ７には通話音声の録音開始機能、検出領域Ｒ８には通話音声の録音停止機能を割り振ることが考えられる。これにより、使用者は、これら検出領域Ｒ５〜Ｒ８のいずれを叩くかによって、前記のうちの要望する機能を、携帯通信装置Ｐに容易に発揮させることができる。
【００６０】
（実施例５）
図７は、本発明の実施例５に係る携帯通信装置Ｐの背面図である。本実施例は、背面部１ｂに設ける１つの音検出手段１８で、携帯通信装置Ｐに２つの機能を発揮させるものである。本実施例では、背面部１ｂの中央部に音検出手段１８を設け、これを挟んで対向する位置に、検出領域Ｒ９と検出領域Ｒ１０とを設ける。検出領域Ｒ９と検出領域Ｒ１０とは表面性状が異なっており、たとえば、検出領域Ｒ９の表面は細かい粗面に形成され、検出領域Ｒ１０の表面は凹凸の大きい粗面に形成されている。
【００６１】
使用者が、爪先で、検出領域Ｒ９または検出領域Ｒ１０を引っ掻くと、いずれも粗面であるため、擦過音を発生させる。ただし、検出領域Ｒ９と検出領域Ｒ１０とは表面性状が異なっているため、発生する擦過音が異なる。制御手段１０は、音検出手段１８が検出した擦過音の違いを判別することにより、使用者が検出領域Ｒ９，Ｒ１０のいずれを引っ掻いたかを特定し、特定した検出領域Ｒ９，Ｒ１０に対応づけた動作を、携帯通信装置Ｐに実行させることが可能である。
【００６２】
（実施例６）
使用者が背面部１ｂを叩打して発生させる叩打音の発生パターンの違いに応じて、制御手段１０が、携帯通信装置Ｐに異なる動作を実行させることも可能である。発生パターンの違いとは、叩打音の回数、叩打間隔、強弱の組み合わせなどである。
【００６３】
たとえば、背面部１ｂを１回だけ叩いたときには、受話音量を増大させ、短い間隔で２回叩いたときには、受話音量を減少させる機能が考えられる。あるいは、背面部１ｂを１回だけ叩いたときには、通話音声の録音を開始し、短い間隔で２回叩いたときには、録音を停止させる機能が考えられる。
【００６４】
本実施例では、１つの音検出手段で、２つの機能を発揮させることができる。
【００６５】
（実施例７）
装置本体１の正面部１ａに設けられる通話用の音声入力手段４に、背面部１ｂで発生させた発生音を検出して音検出信号を出力する機能を備えさせることも可能である。すなわち、図１に示す携帯通信装置Ｐにおいて、背面部１ｂで発生音を発生させたときに、正面部１ａに設けた音声入力手段４から出力される音検出信号と、背面部１ｂに設けた第１および第２の音検出手段６，６から出力される音検出信号とに基づいて、発生音の発生位置が、複数の検出領域Ｒ１、Ｒ２のいずれに属するかを制御手段１０で判定する。そして、判定した検出領域Ｒ１，Ｒ２に応じた動作を、携帯通信装置Ｐに実行させる。
【００６６】
本実施例によれば、背面部１ｂに設ける音検出手段を、第１の音検出手段５だけとすることが可能である。
【００６７】
（実施例８）
背面部１ｂで発生音を発生させたときに、携帯通信装置Ｐの動作状態に応じて、携帯通信装置Ｐに実行させる動作を異ならせることも可能である。たとえば、同一の検出領域Ｒ１に、通話音声の録音開始機能と、録音停止機能とを割り付けておき、携帯通信装置Ｐが録音をしていない状態で検出領域Ｒ１を叩くと録音が開始され、録音をしている状態で検出領域Ｒ１を叩くと録音を停止する動作態様が考えられる。
【００６８】
（その他の実施例）
前記実施例は、装置本体１の背面部１ｂを叩くことによって発生する叩打音で、携帯通信装置Ｐの動作を制御するものであるが、音源位置が特定できるのであれば、音を発生させる方法は限定されない。たとえば、指をこすり合わせ鳴らす音（パッチン音）などを利用することも可能である。
【００６９】
さらに、使用者が、前述した本発明の機能を使うかどうか選択できる設定メニューを、携帯通信装置Ｐに備えさせてもよい。
【００７０】
さらには、背面部１ｂで発生音を発生させることによって発動させる携帯通信装置Ｐの動作を、使用者が自由に設定できる仕様とすることも可能である。
【符号の説明】
【００７１】
Ｐ  携帯通信装置
１  装置本体
１ａ  正面部
１ｂ  背面部
２  画面表示手段
３  音声出力部
４  音声入力部
５  第１の音検出手段
６  第２の音検出手段
１０  制御手段
Ｒ１  検出領域
Ｒ２  検出領域
【図１Ａ】
2014003456.tif 000003
【図１Ｂ】
2014003456.tif 000004
【図２】
2014003456.tif 000005
【図３Ａ】
2014003456.tif 000006
【図３Ｂ】
2014003456.tif 000007
【図４】
2014003456.tif 000008
【図５】
2014003456.tif 000009
【図６】
2014003456.tif 000010
【図７】
2014003456.tif 000011